(57)【要約】【課題】順番待ちの受付画面において、実態に合った順番待ち組数を表示できるようにする。【解決手段】施設における利用者の順番待ちを管理する順番管理システムであって、施設における順番待ちの登録を受け付ける受付端末と、受付端末、または通信回線を介して接続された他の端末装置から登録された順番待ち組の順番待ち状況を管理する順番管理サーバと、を備え、受付端末は、現在の順番待ち組数を表示する順番待ち状況表示部を備え、順番待ち状況表示部には、登録されている順番待ち組が全て他の端末装置から登録された順番待ち組である場合には、順番待ち組数をゼロ組と表示すると共に、優先案内対象の組が、登録されている順番待ち組数だけ存在することを表示する。【選択図】図５
2018151772.tif 000002
【特許請求の範囲】
【請求項１】
施設における利用者の順番待ちを管理する順番管理システムであって、
前記施設における順番待ちの登録を受け付ける受付端末と、
前記受付端末、または通信回線を介して接続された他の端末装置から登録された順番待ち組の順番待ち状況を管理する順番管理サーバと、を備え、
前記受付端末は、現在の順番待ち組数を表示する順番待ち状況表示部を備え、
前記順番待ち状況表示部には、登録されている順番待ち組が全て前記他の端末装置から登録された順番待ち組である場合には、順番待ち組数をゼロ組と表示すると共に、優先案内対象の組が、前記登録されている順番待ち組数だけ存在することを表示する、順番管理システム。
【請求項２】
前記順番待ち状況表示部には、登録されている順番待ち組が全て前記他の端末装置から登録された順番待ち組であって、かつ所定の基準時間の間、前記受付端末が操作されていない場合には、順番待ち組数をゼロ組と表示すると共に、優先案内対象の組が、前記登録されている順番待ち組数だけ存在することを表示する、請求項１に記載の順番管理システム。
【請求項３】
前記基準時間は、１組あたりの標準の順番待ち時間である、請求項２に記載の順番管理システム。
【請求項４】
施設における利用者の順番待ちを管理する順番管理装置であって、
前記施設における順番待ちの登録を受け付ける受付部と、
現在の順番待ち組数を表示する順番待ち状況表示部と備え、
前記順番待ち状況表示部には、登録されている順番待ち組が全て前記順番管理装置以外の他の端末装置から登録された順番待ち組である場合には、順番待ち組数をゼロ組と表示すると共に、優先案内対象の組が、前記登録されている順番待ち組数だけ存在することを表示する、順番管理装置。
【請求項５】
施設における順番待ちを管理するコンピュータを、
前記施設における順番待ちの登録を受け付ける受付処理部と、
現在の順番待ち組数を表示する順番待ち状況表示処理部、として機能させ、
前記順番待ち状況表示処理部は、登録されている順番待ち組が全て前記受付処理部を介さずに他の端末装置から登録された順番待ち組である場合には、順番待ち組数をゼロ組と表示すると共に、優先案内対象の組が、前記登録されている順番待ち組数だけ存在することを表示する、プログラム。
【発明の詳細な説明】
【技術分野】
【０００１】
本発明は、順番管理システム、順番管理装置、およびプログラムに関する。
【背景技術】
【０００２】
従来、レストランや店舗、病院、銀行、役所等においては、そのサービスを待つ顧客の順番待ちを管理するために、種々の順番管理システムが採用されている。
【０００３】
例えば、特許文献１には、順番待ちのできる複数の施設に対して同時に予約管理サービスを提供する予約管理システムが記載されており、ユーザは、Ｗｅｂや、電話や、店頭端末から順番待ち予約の申し込みをできることが記載されている。
【先行技術文献】
【特許文献】
【０００４】
【特許文献１】特開２００５−５０００２号公報
【発明の概要】
【発明が解決しようとする課題】
【０００５】
従来の順番管理システムにおいては、Ｗｅｂなどのオンラインで受付をした待ち組数と、店舗に来店して店頭端末で受付をした待ち組数を合わせて、現在の順番待ち組数として受付画面などに表示している。オンラインで受付をした場合、利用者が受付をしてから実際に店舗に来店するまでには時間がかかる。このため、例えばオンラインで受付をした待ち組のみが登録されている場合、実際には店舗で順番待ちをしている人がいないにもかかわらず、受付画面上では順番待ちをしている人がいることになってしまう。
【０００６】
本発明は、以上説明した事情を鑑みてなされたものであり、順番待ちの受付画面において、実態に合った順番待ち組数を表示できるようにすることを目的の一つとする。
【課題を解決するための手段】
【０００７】
本発明の一実施形態に係る順番管理システムは、施設における利用者の順番待ちを管理する順番管理システムであって、
前記施設における順番待ちの登録を受け付ける受付端末と、
前記受付端末、または通信回線を介して接続された他の端末装置から登録された順番待ち組の順番待ち状況を管理する順番管理サーバと、を備え、
前記受付端末は、現在の順番待ち組数を表示する順番待ち状況表示部を備え、
前記順番待ち状況表示部には、登録されている順番待ち組が全て前記他の端末装置から登録された順番待ち組である場合には、順番待ち組数をゼロ組と表示すると共に、優先案内対象の組が、前記登録されている順番待ち組数だけ存在することを表示するものである。
【０００８】
また、前記順番待ち状況表示部には、登録されている順番待ち組が全て前記他の端末装置から登録された順番待ち組であって、かつ所定の基準時間の間、前記受付端末が操作されていない場合には、順番待ち組数をゼロ組と表示すると共に、優先案内対象の組が、前記登録されている順番待ち組数だけ存在することを表示するようにしてもよい。
【０００９】
また、前記基準時間は、１組あたりの標準の順番待ち時間とすることができる。
【発明の効果】
【００１０】
本発明によれば、順番待ちの受付画面において、実態に合った順番待ち組数を表示することができる。
【図面の簡単な説明】
【００１１】
【図１】本発明の実施形態に係る順番管理システム１０００の概略構成を示す図。
【図２】順番管理端末２００の主要構成を示すブロック図。
【図３】本発明の実施形態に係る順番管理システム１０００における順番待ちの受付登録処理のフローチャート。
【図４】本発明の実施形態に係る順番管理システム１０００における受付画面を例示する図。
【図５】本発明の実施形態に係る順番管理システム１０００における順番待ち状況の表示処理のフローチャート。
【図６】本発明の実施形態に係る順番管理システム１０００における受付画面を例示する図。
【発明を実施するための形態】
【００１２】
以下、本発明の実施形態について図面を参照しつつ詳細に説明する。なお、同一の要素には同一の符号を付し、重複する説明を省略する。
【００１３】
本実施形態では、レストランＡにおける順番待ち管理の例について説明するが、その他、病院、銀行、役所、デパート、アミューズメント施設、イベント会場など、施設利用者の順番待ちの管理を行うあらゆる施設に適用できる。
【００１４】
図１は、本実施形態に係る順番管理システム１０００の概略構成を示す図である。図１に示すように、順番管理システム１０００は、管理センター等に設置された順番管理サーバ１００と、店舗（施設）の入口付近などに設置された順番管理端末（受付端末）２００、店舗に来店する利用者が所有する携帯端末（他の端末装置）３００を含んでいる。順番管理サーバ１００は、順番管理端末２００および携帯端末３００と通信ネットワークＮを介して接続されている。
【００１５】
順番管理サーバ１００は、順番管理端末２００を介して登録される順番待ちを施設毎に管理する。図１の例では、１つの施設の順番管理端末２００のみが図示されているが、順番管理サーバ１００は、実際には複数の施設に設置されている順番管理端末２００と通信ネットワークＮで接続され、各施設の順番待ちを管理している。順番管理サーバ１００は、汎用的なコンピュータによって構成され、そのコンピュータにおいて所定のサーバ用プログラムが動作することにより、サーバ機能を実現する。順番管理サーバ１００を構成するコンピュータは、必ずしも１台である必要はなく、通信ネットワークＮ上に分散する複数のコンピュータから構成されてもよい。
【００１６】
順番管理サーバ１００は、施設ごとに順番管理端末２００を管理するための管理データベース１１０と、プロセッサ１２０と、を備えている。管理データベース１１０は、クライアント管理テーブルＴＡ１と、ステータス管理テーブルＴＡ２を備えている。
【００１７】
クライアント管理テーブルＴＡ１には、施設毎に、順番管理端末２００に対して付与されている固有のＩＤとパスコード（アカウント）が登録されている。例えば、「レストランＡ」のレコードとして、「ＩＤ：Ａ１・・・」、「パスコード：ＡＡ２・・・」等が設定されている。これらの情報は、例えば、システム導入の際に各施設で順番待ちの管理を行う管理者（例えば、施設のオーナーなど）によって設定される。なお、１施設で複数の順番管理端末２００を利用する場合には、同一のＩＤとパスコードを利用しても良いが、例えば所定の条件に従い、複数のＩＤとパスワードを使い分けるようにしてもよい。
【００１８】
ステータス管理テーブルＴＡ２には、各施設での順番待ちリストが登録されている。この順番待ちリストは、順番待ちをしている者（順番待ち組）の一覧と、各々の順番待ち組の待ち状況をあらわす情報（ステータス情報）が含まれる。順番待ちリストの１レコードには、受付番号「１」、受付時刻「１３：０３」、受付種別「オンライン」、ステータス「呼出」等の情報が含まれている。その他、希望する席の種類（テーブル、カウンター等）や、氏名、連絡先のメールアドレス、電話番号などの情報も含むことができる。
【００１９】
受付種別は、順番待ちの受付登録を行った手段（経路）が登録される。例えば、ウェブサイトからの受付の場合には「オンライン」が登録され、レストランＡの店頭などに設置された順番管理端末２００を操作して受付を行った場合には「受付端末」が登録される。
【００２０】
ステータスには、順番到来前の状態である「待ち中」、順番が来たことを知らせた状態である「呼出中」、順番が来た者を実際に会場内に案内した状態である「案内済」、さらに順番待ちをキャンセルした状態である「取消済」等が含まれる。ステータスとしてどのような項目を設定するかは各施設の管理者等が適宜設定および変更可能となっている。
【００２１】
なお、順番待ちリストに含める情報は、各施設の管理者等が適宜設定および変更可能となっている。順番待ちリストの内容は、順番管理端末２００から送信される順番待ちリストへの新規登録情報、またはステータスの更新情報（詳細は後述）に基づいて更新される。
【００２２】
プロセッサ１２０は、算術演算、論理演算、ビット演算等を処理する算術論理演算ユニット（ＣＰＵなど）および各種レジスタから構成され、ＲＯＭ等の記憶手段に格納されている各種プログラムを実行することで順番管理サーバ１００の各部を中枢的に制御する。また、プロセッサ１２０は、順番管理端末２００と連携して順番待ちを管理するためのコンピュータプログラム（順番管理アプリケーション）も実行する。
【００２３】
通信ネットワークＮは、順番管理サーバ１００と順番管理端末２００との間などで、相互に情報を送受信可能な通信網を含む。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００２４】
順番管理端末２００は、タブレット端末や、パーソナルコンピュータ（ＰＣ）、ノートＰＣ、スマートフォン、携帯電話機、携帯情報端末（ＰＤＡ）など、通信ネットワークＮを介して順番管理サーバ１００とデータの授受が可能なあらゆる端末装置を利用することができる。なお、順番管理端末２００は、１施設で複数台利用することもできる。
【００２５】
図２は、順番管理端末２００の主要構成を示すブロック図である。順番管理端末２００は、プロセッサ（受付処理部、順番待ち状況表示処理部）２１０と、入力装置（受付部）２１５と、表示装置（順番待ち状況表示部）２１６と、通信インタフェース２２０と、記憶資源２３０を備える。順番管理端末２００は、施設の利用者や従業者が直接タッチパネルなどの入力装置２１５を操作することで、順番待ちリストへの登録や更新等の入力を受け付ける。例えば、施設の従業者は順番待ちリストに新たに順番待ちの登録をするための入力や、順番待ちリストに登録されているステータスを更新するための入力を行う。
【００２６】
プロセッサ２１０は、算術演算、論理演算、ビット演算等を処理する算術論理演算ユニット（ＣＰＵなど）および各種レジスタから構成され、記憶資源２３０に格納されている各種プログラムを実行することで順番管理端末２００の各部を中枢的に制御する。各種レジスタは、例えば、プログラムカウンタ、データレジスタ、命令レジスタ、汎用レジスタ等である。
【００２７】
入力装置２１５は、順番待ちリストへの受付や順番待ちリストからの消込み等の入力を受け付けるための各種操作ボタンやタッチパネル２１５ａを備えている。
【００２８】
表示装置２１６は、順番待ちリストや、受付画面やステータス管理画面を表示するための装置であり、例えば液晶ディスプレイにより構成される。
【００２９】
通信インタフェース２２０は、通信ネットワークＮに接続し、通信ネットワークＮを介して他の装置と通信をするためのハードウェアモジュールである。通信インタフェース２２０は、例えば、ＩＳＤＮモデム、ＡＤＳＬモデム、ケーブルモデム、光モデム、ソフトモデム等の変調復調装置である。
【００３０】
記憶資源２３０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶資源２３０は、複数の物理デバイスを１つの論理デバイスにマッピングして構築してもよいし、１つの物理デバイスを複数の論理デバイスにマッピングして構築してもよい。
【００３１】
記憶資源２３０には、オペレーティングシステムプログラム、ドライバプログラム、各種データ等が格納される。ドライバプログラムとしては、例えば、通信インタフェース２２０を制御するための通信インタフェースドライバプログラム等がある。また、記憶資源２３０には、これら各種プログラムや各種データのほか、プロセッサ２１０が実行することにより、順番管理サーバ１００と連携して順番待ちを管理するためのコンピュータプログラム（順番管理アプリケーション）ＡＰ１が記憶されている。
【００３２】
携帯端末３００は、施設を利用する利用者が保持する携帯端末であり、スマートフォン、携帯電話機、携帯情報端末（ＰＤＡ）など、順番管理サーバ１００と通信ネットワークＮを介してデータの授受が可能なあらゆる端末装置を利用することができる。携帯端末３００は、プロセッサ、各種操作ボタンやタッチパネルなどの入力装置、液晶ディスプレイなどの表示装置、他の機器と通信を行うための通信インタフェース、ディスクドライブまたは半導体メモリ（ＲＯＭ、ＲＡＭなど）などの記憶資源を備えている。記憶資源には、オペレーティングシステムプログラム、通信インタフェースドライバプログラム、各種データ等が格納される。また、記憶資源には、プロセッサが実行することにより、順番管理サーバ１００と連携して順番待ちを管理するためのコンピュータプログラム（順番管理アプリケーション）が記憶されている。利用者は、携帯端末３００にインストールされているウェブブラウザ又はその他のアプリケーションを介して、各施設への順番待ちを登録することができる。
【００３３】
（順番待ちの受付登録）
次に、順番待ちの受付登録処理について、図３のフローチャートを用いて説明する。本実施形態では、順番待ちの受付登録処理は、店舗に来店した利用者または店舗の従業者が順番管理端末２００を操作することにより行うか、利用者が自身の携帯端末３００を操作することにより行う。以下、順番管理端末２００または携帯端末３００を操作して行われる受付登録処理について説明する。
【００３４】
まず、順番管理端末２００または携帯端末３００は、順番管理サーバ１００から、現在順番待ちをしている待ち組数や現在の待ち時間などを含む順番待ち状況の情報を受信する（ステップＳ３１）。
【００３５】
次に、順番管理端末２００または携帯端末３００は、順番待ちの受付をするための受付画面を表示装置に表示させる（ステップＳ３２）。受付画面には、図４に例示するように、受付ボタンＢの他、現在順番待ちをしている待ち組数や現在の待ち時間などの順番待ち状況が表示される。順番待ち状況の表示処理の詳細については後述する。
【００３６】
表示された受付画面に対して利用者が所定の操作入力（受付ボタンＢのタッチ等）を行い、さらに必要に応じて順番待ちの受付に必要な情報（連絡先のメールアドレス、電話番号等）の入力が完了すると（ステップＳ３３：ＹＥＳ）、受付完了画面が表示される（ステップＳ３４）。受付完了画面には、受付番号や、現時点での待ち時間等が表示される。
【００３７】
また、順番管理端末２００では、順番券を受け取るよう促すメッセージが表示され、利用者は、順番管理端末２００に接続されたプリンタから印刷される順番券を受け取ることができる。順番券には、受付番号と対応付けられた二次元コードが印刷されている。利用者が自身の所持する携帯端末を利用して順番券に印刷された二次元コードを読み取ることで、携帯端末の表示装置に現在の順番待ち状況（現状の待ち組数や待ち時間など）が表示される。また、利用者が、二次元コードを読み込むことによって表示される案内にしたがってメールアドレスを入力することにより、順番が到来した際にメッセージを受信したり、順番が近づいたときにリマインドメールを受信したりすることができるようにしてもよい。
【００３８】
確定した新規登録情報は、順番管理端末２００または携帯端末３００から通信ネットワークＮを介して順番管理サーバ１００に送信される（ステップＳ３５）。新規登録情報には、受付登録を行った手段（経路）の情報（「受付種別」）が含まれる。具体的には、順番管理端末２００からの受付の場合には「受付端末」、携帯端末３００からの受付の場合には「オンライン」が受付種別として含まれる。
【００３９】
順番管理サーバ１００は、ある施設への新規登録情報を受信すると、受信した新規登録情報に基づいて、その施設の順番待ちリストに順番待ちを１組新たに追加する処理を行い、ステータス管理テーブルＴＡ２を更新する（ステップＳ３６）。具体的には、受付番号、受付時刻等の他、受付種別として「受付端末」または「オンライン」が登録され、ステータスとして「待ち中」が登録される。
【００４０】
（順番待ち状況の表示）
次に、順番管理端末２００や携帯端末３００の受付画面に表示される順番待ち状況（現在の待ち組数等）の表示処理について、図５のフローチャートを用いて説明する。
【００４１】
まず、順番管理サーバ１００は、ステータス管理テーブルＴＡ２に記憶されたレストランＡの順番待ちリストを参照し、現在順番待ちをしている組（ステータスが「待ち中」の組）のレコードを抽出する（ステップＳ５１）。
【００４２】
次に、順番管理サーバ１００は、抽出した全てのレコードについて「受付種別」を参照し、受付種別が「受付端末」のものが含まれるか否かを判断する（ステップＳ５２）。受付種別が「受付端末」のレコードが含まれている場合（ステップＳ５２：ＹＥＳ）、ステップＳ５１で抽出したレコード数を現在の待ち組数に設定する（ステップＳ５３）。
【００４３】
一方、受付種別が「受付端末」のレコードが無く、全て「オンライン」の場合（ステップＳ５２：ＮＯ）、順番管理サーバ１００は、順番管理端末２００が所定時間以上操作されていないかどうかを判断する（ステップＳ５４）。具体的には、最後に順番管理端末２００が操作された時刻から現在時刻までの時間を算出し、算出した時間が所定の基準時間以上か否かを判断する。基準時間としては、例えば１待ち組あたりの標準の順番待ち時間（例えば、１０分）を用いることができる。標準の順番待ち時間には過去の一定期間における１組あたりの実際の待ち時間等を用いることができる。
【００４４】
順番管理端末２００が所定時間以上操作されていない場合（ステップＳ５４：ＹＥＳ）、現在の待ち組数をゼロ組に設定し、優先案内対象の組の数をステップＳ５１で抽出したレコード数に設定する（ステップＳ５５）。優先案内対象の組はレストランＡに来店する前に順番待ちを登録しているため、優先案内対象の組が実際に来店するまでは、先に来店している利用客を案内する。しかし、優先案内対象の組が来店したら、すでに来店している利用客よりも優先して案内される。一方、順番管理端末２００が最後に操作されてから所定時間以上経過していない場合（ステップＳ５４：ＮＯ）、ステップＳ５１で抽出したレコード数を現在の待ち組数に設定する（ステップＳ５３）。
【００４５】
さらに順番管理サーバ１００は、現在の待ち組数に基づいて、現在の目安待ち時間を算出する。目安待ち時間は、例えば１待ち組あたりの標準の待ち時間に待ち組数を掛けることにより算出することができる（ステップＳ５６）。
【００４６】
順番管理サーバ１００は、順番管理端末２００または携帯端末３００に、現在の待ち組数と待ち時間の情報（順番待ち状況の情報）を送信する（ステップＳ５７）。
【００４７】
順番管理端末２００または携帯端末３００は、順番管理サーバ１００から順番待ち状況の情報を受信すると、受付画面に、受信した待ち組数または優先案内対象の組の数の情報と、待ち時間の情報を表示する（ステップＳ５８）。図６は、待ち組数がゼロで優先案内対象の組がある場合の受付画面の例である。図６に示す例では、順番待ちリストには３組の順番待ち組が登録されているが、全てオンラインでの登録で、実際に店内で順番を待っている人がいないので、「優先の方が３組います。」と表示される。
【００４８】
（順番待ちリストの更新）
各施設の順番待ちリストの各レコードの内容は、施設の従業者が順番管理端末２００を用いて「取消」、「変更」、「呼出」、「案内」等の操作を行った際に更新される。「取消」は、順番待ちをキャンセルすることを意味し、「変更」は、いったん入力された順番待ちの内容を変更することを意味する。また、「呼出」は、順番が来た組を口頭で呼出したり、電話や呼出メールなどで知らせた状態であることを意味し、「案内」は、順番が来た組に対して実際に対応を開始した状態であることを意味する。
【００４９】
従業者は、順番管理端末２００に表示された順番待ちリストの中から、更新対象の順番待ち組を選択し、選択した順番待ち組に対して「呼出」、「取消」、「変更」のいずれかの更新操作を行う。更新対象の順番待ち組を特定する情報（例えば受付番号「１」）と更新操作の情報（例えば「呼出」）は、順番管理端末２００から通信ネットワークＮを介して順番管理サーバ１００にアップロードされる。順番管理サーバ１００は、受信した情報に基づき、当該施設の順番待ちリストを更新する。例えば、受付番号「１」に対して「呼出」操作を行った場合には、受付番号「１」の順番待ち組のステータスが「呼出中」に更新される。
【００５０】
以上のように、本実施形態によれば、順番待ちリストに登録されている順番待ち組が全て順番管理端末２００以外のオンラインでの受付の場合には、受付画面には順番待ち組数はゼロ組と表示し、代わりに「優先案内対象の組」が存在することを表示するようにした。これにより、順番待ちリストには順番待ち組が登録されているが、オンラインでの受付登録のため実際には来店しておらず、すぐに他の客の案内が可能な場合に、実態に合った順番待ち状況を表示することができる。また、順番待ち組数をゼロ組と表示する代わりに、「優先案内対象の組」が存在することを表示するようにしたので、オンラインで受付登録をした利用客が来店した場合には優先的に案内されることを、予め他の利用客に知らせることができる。
【００５１】
また、順番待ち組が全て順番管理端末２００以外のオンラインでの受付で、かつ一定時間順番管理端末２００が操作されていないことを「優先案内対象の組」表示の条件とすることにより、さらに実態に合った順番待ち状況を表示することができる。これは、一般に、店舗が空いている場合、利用客や従業員による店舗内の順番管理端末２００の操作（受付登録、ステータス更新）が行われないためである。一方、オンラインでの受付登録のみの場合でも、それらの利用客が実際に来店して順番待ちをしていれば、従業員によって案内時にステータス更新操作が行われると考えられる。したがって、基準時間内に順番管理端末２００の操作が検知された場合には、通常どおり「順番待ち組」の数が表示される。基準時間としては、例えば、１組当たりの通常の順番待ち時間を用いることができる。実際に店内で待っている利用客がいる場合、従業員によって案内時に順番管理端末２００の操作（ステータス更新）が行われる可能性が高いため、基準時間として１組当たりの通常の順番待ち時間を用いることは合理的である。
【００５２】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００５３】
１０００…順番管理システム
１００…順番管理サーバ
１１０…管理データベース
１２０…プロセッサ
２００…順番管理端末
２１０…プロセッサ
２１５…入力装置
２１５ａ…タッチパネル
２１６…表示装置
２２０…通信インタフェース
２３０…記憶資源
３００…携帯端末
ＴＡ１…クライアント管理テーブル
ＴＡ２…ステータス管理テーブル
Ｎ…通信ネットワーク
ＡＰ１…順番管理アプリケーション
【図１】
2018151772.tif 000003
【図２】
2018151772.tif 000004
【図３】
2018151772.tif 000005
【図４】
2018151772.tif 000006
【図５】
2018151772.tif 000007
【図６】
2018151772.tif 000008
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
施設における利用者の順番待ちを管理する順番管理システムであって、
前記施設における順番待ちの登録を受け付ける受付端末と、
前記受付端末、または通信回線を介して接続された他の端末装置から登録された順番待ち組の順番待ち状況を管理する順番管理サーバと、を備え、
前記受付端末は、現在の順番待ち組数を表示する順番待ち状況表示部を備え、
前記順番待ち状況表示部には、登録されている順番待ち組が全て前記他の端末装置から登録された順番待ち組である場合には、順番待ち組数をゼロ組と表示すると共に、優先案内対象の組が、前記登録されている順番待ち組数だけ存在することを表示し、
登録されている順番待ち組に前記受付端末から登録された順番待ち組が含まれる場合には、前記登録されている順番待ち組数を順番待ち組数として表示する、順番管理システム。
【請求項２】
前記順番待ち状況表示部には、登録されている順番待ち組が全て前記他の端末装置から登録された順番待ち組であって、かつ所定の基準時間の間、前記受付端末が操作されていない場合には、順番待ち組数をゼロ組と表示すると共に、優先案内対象の組が、前記登録されている順番待ち組数だけ存在することを表示し、
登録されている順番待ち組に前記受付端末から登録された順番待ち組が含まれる場合、または、登録されている順番待ち組が全て前記他の端末装置から登録された順番待ち組であって、かつ所定の基準時間の間に前記受付端末が操作された場合には、前記登録されている順番待ち組数を順番待ち組数として表示する、請求項１に記載の順番管理システム。
【請求項３】
前記基準時間は、１組あたりの標準の順番待ち時間である、請求項２に記載の順番管理システム。
【請求項４】
施設における利用者の順番待ちを管理する順番管理装置であって、
前記施設における順番待ちの登録を受け付ける受付部と、
現在の順番待ち組数を表示する順番待ち状況表示部と備え、
前記順番待ち状況表示部には、登録されている順番待ち組が全て前記順番管理装置以外の他の端末装置から登録された順番待ち組である場合には、順番待ち組数をゼロ組と表示すると共に、優先案内対象の組が、前記登録されている順番待ち組数だけ存在することを表示し、
登録されている順番待ち組に前記順番管理装置から登録された順番待ち組が含まれる場合には、前記登録されている順番待ち組数を順番待ち組数として表示する、順番管理装置。
【請求項５】
施設における順番待ちを管理するコンピュータを、
前記施設における順番待ちの登録を受け付ける受付処理部と、
現在の順番待ち組数を表示する順番待ち状況表示処理部、として機能させ、
前記順番待ち状況表示処理部は、登録されている順番待ち組が全て前記受付処理部を介さずに他の端末装置から登録された順番待ち組である場合には、順番待ち組数をゼロ組と表示すると共に、優先案内対象の組が、前記登録されている順番待ち組数だけ存在することを表示し、
登録されている順番待ち組に前記受付処理部を介して登録された順番待ち組が含まれる場合には、前記登録されている順番待ち組数を順番待ち組数として表示する、プログラム。